(57)【要約】【課題】  図柄や文字の形成を容易にしたレンズ付きフイルムユニット用ラベルシートを提供する。【解決手段】  レンズ付きフイルムユニット３は内部の露光ユニットが前カバー３５及び後カバー３６とによって覆われている。ラベルシート４はレンズ付きフイルムユニット３から分離されて包装袋に同梱されており、前カバー３５及び後カバー３６の表面に沿って曲折可能な平面形状に形成されている。ラベルシート４の前面には図柄、及び文字の書き込みが可能な余白スペースが設けられている。余白スペースに図柄等が形成された後、ラベルシート４はユニット本体３に貼り付けられる。ラベルシート４の裏側には接着層が設けられており、接着層が前カバー３５及び後カバー３６と接着してラベルシート４がレンズ付きフイルムユニット３に取り付けられる。【選択図】        図１
2005099363.tif 000002
【特許請求の範囲】
【請求項１】
表面に図柄や文字の書き込みが可能な余白スペースを有し、裏面の接着層によりユーザがレンズ付きフイルムユニットの表面に貼り付け可能であることを特徴とするレンズ付きフイルムユニット用ラベルシート。
【請求項２】
表面に図柄や文字の書き込みが可能な余白スペースを有するとともに裏面の接着層には離型紙が重ねられ、離型紙を剥離することによりユーザがレンズ付きフイルムユニットの表面に貼り付け可能であることを特徴とするレンズ付きフイルムユニット用ラベルシート。
【請求項３】
前記離型紙は印刷機器での給紙が可能なサイズを有し、この離型紙の表面全体に貼り付けられた印刷シートに予め施された切り取り線に沿って印刷シート及び離型紙から分離されることを特徴とする請求項２に記載のレンズ付きフイルムユニット用ラベルシート。
【請求項４】
レンズ付きフイルムユニットの所要部を露呈させる開口が設けられていることを特徴とする請求項２または３に記載のレンズ付きフイルムユニット用ラベルシート。
【請求項５】
レンズ付きフイルムユニットと同梱されることを特徴とする請求項１ないし４にいずれか１つ記載のレンズ付きフイルムユニット用ラベルシート。
【発明の詳細な説明】
【技術分野】
【０００１】
本発明は、レンズ付きフイルムユニット用ラベルシートに関し、さらに詳しくはレンズ付きフイルムユニットの少なくとも一部を覆うラベルシートに関するものである。
【背景技術】
【０００２】
現在、手軽に被写体を撮影できるレンズ付きフイルムユニットが市販されている。レンズ付きフイルムユニットは、写真フイルムに露光ユニットが組み付けられ、さらにその外側には写真フイルムと露光ユニットを光密に覆って保護する保護カバーが組み付けられており、保護カバーには装飾、及び分解防止等を目的としたラベルシートが貼り付けられている。近年のレンズ付きフイルムユニットでは構造の簡易化、低価格化、高機能化が進んでおり、中には撮影環境によって絞りの切り替えを行ったり、接写や望遠撮影を行うものも登場している。
【０００３】
従来、レンズ付きフイルムユニットの表面には、ラベルシートが保護カバーの形状に沿って貼り付けられており、ラベルシートの表面には撮影手順、ストロボ撮影時の有効撮影距離、注意事項などが印刷され、これによりレンズ付きフイルムユニットの利便性が高められていた。また、写真フイルムの不正な詰め替えを防止するために保護カバーの表面に貼り付けられるラベルシートも考えられている。特許文献１には模様の記入が可能な淡色無地の余白をラベルシートに設けるとともにこのラベルシートを保護カバーに巻き付けたレンズ付きフイルムユニットが示されている。この保護カバーに取り付けられたラベルシートの余白にユーザが模様を形成することで同機種のレンズ付きフイルムユニットが複数並べられた場合においてもそれぞれのレンズ付きフイルムユニットを識別することを可能にしている。
【０００４】
【特許文献１】特開２００１−２１５６６４号公報
【発明の開示】
【発明が解決しようとする課題】
【０００５】
しかしながら、保護カバーは曲面や凹凸を有する場合が多く、このような保護カバーに取り付けられたラベルシートの表面に設けられた余白に、ユーザの思い通りに模様を形成するのは困難である。また、ラベルシートに模様を形成するためにはレンズ付きフイルムユニットが動かないように固定して模様を形成することが好ましいいが、複雑な形状に形成された保護カバーによって外形が形成されたレンズ付きフイルムユニットでは専用の固定道具でも使用しない限り動かないように固定することはまず困難である。このためラベルシートへの模様の形成が難しい場合が多かった。
【０００６】
本発明は、上記の事情に鑑みてなされたものであり、その目的は余白スペースへの模様の形成が容易なレンズ付きフイルムユニット用ラベルシートを提供することにある。
【課題を解決するための手段】
【０００７】
上記の課題を解決するために、本発明のレンズ付きフイルムユニット用ラベルシートでは、表面に図柄や文字の書き込みが可能な余白スペースを有し、裏面の接着層によりユーザがレンズ付きフイルムユニットの表面に貼り付け可能であることを特徴とする。
【０００８】
また、表面に図柄や文字の書き込みが可能な余白スペースを有するとともに裏面の接着層には離型紙が重ねられ、離型紙を剥離することによりユーザがレンズ付きフイルムユニットの表面に貼り付け可能であることを特徴とする。
【０００９】
また、前記離型紙は印刷機器での給紙が可能なサイズを有し、この離型紙の表面全体に貼り付けられた印刷シートに予め施された切り取り線に沿って印刷シート及び離型紙から分離されることを特徴とする。
【００１０】
また、レンズ付きフイルムユニットの所要部を露呈させる開口が設けられていることを特徴とする。
【００１１】
また、レンズ付きフイルムユニットと同梱されることを特徴とする。
【発明の効果】
【００１２】
本発明のレンズ付きフイルムユニット用ラベルシートによれば、ラベルシートがレンズ付きフイルムユニットと分離しているために余白スペースに図柄や文字を書き込みやすく、余白スペースに図柄や文字が形成された後にラベルシートをレンズ付きフイルムユニットに貼り付けることができ、ユーザ好みのラベルシートが貼り付けられたレンズ付きフイルムユニットとすることができる。
【発明を実施するための最良の形態】
【００１３】
本発明を実施したレンズ付きフイルムユニット用ラベルシートの斜視図を図１に示す。被写体を撮影するレンズ付きフイルムユニット３の表面にラベルシート４が貼り付けられる。レンズ付きフイルムユニット３の前面には撮影レンズ６が露呈し、その上にはファインダ対物窓８が設けられている。撮影レンズ６の横にはストロボの充電動作をＯＮ／ＯＦＦ切り替えするためのスライドスイッチ１０が設けられ、スライドスイッチ１０の上にはストロボ光を投光するストロボ発光部１２が設けられている。
【００１４】
レンズ付きフイルムユニット３の上面には押圧によって被写体の撮影を開始するシャッタボタン１５、所定のコマ数を有する写真フイルムのうち、撮影可能な残りのコマ数を表示するカウンター窓１７、外側に突出してストロボの充電状態を表示する光伝導体１９が設けられる。レンズ付きフイルムユニット３の背面にはファインダ接眼窓（図示省略）と、写真フイルムの巻上げを行うための回転レバー２２が設けられている。
【００１５】
レンズ付きフイルムユニット３は、写真フイルム及び写真フイルムを格納するフイルムカートリッジ、写真フイルムに光を付与する露光ユニット、露光ユニットに組み付けられるストロボユニット、ストロボユニットが組み付けられた露光ユニットを外光や外部から保護する前カバー３５及び後カバー３６とによって構成される。
【００１６】
図２にラベルシート４の斜視図を示す。ラベルシート４は、レンズ付きフイルムユニット３の前面に設けられる前面部４ａ、レンズ付きフイルムユニット３の上面に設けられる上面部４ｂ、レンズ付きフイルムユニット３の背面に設けられる背面部４ｃ、及びレンズ付きフイルムユニット３の底面に設けられる第１底面部４ｄ、第２底面部４ｅとからなる。前面部４ａには撮影レンズ６及びファインダ対物窓８を露呈させるための開口４ｆが形成され、上面部にはカウンタ窓１７を露呈させるための開口４ｇと光伝導体１９を露出させるための開口４ｈがそれぞれ設けられ、さらに背面部にはファインダ接眼窓を露呈させる開口４ｋが形成されている。前面部４ａの表面には図柄や文字の書き込みが可能な余白スペースが設けられている。
【００１７】
図３にラベルシート４の形成方法を説明する平面図を示す。ラベルシート４は、Ａ５サイズの平面状に形成された印刷シート３９の一部から剥離されて形成されるものであり、印刷シート３９はラベルシート４とその周囲の余白部５１とからなる。印刷シートは離型紙に重ねられ、ラベルシート４と余白部５１との境目は切断されているため、ラベルシート４は印刷シートからの分離が可能となっている。ラベルシート４は第１底面部４ｄ、背面部４ｃ、上面部４ｂ、前面部４ａ、第２底面部４ｅの順に連なって展開した平面状態で形成される。ラベルシート４の前面部４ａの表面は図柄や文字の書き込みが自在な余白スペースであり、その他の部分には使用上の注意やレンズ付きフイルムユニットの使用方法等が予め記載されている。
【００１８】
図４に示すように、印刷シート３９の裏面には接着層４３が設けられており、接着層は離型紙４７の表面に重ねられている。ユーザによってラベルシート４が離型紙４７から剥離されるとラベルシート４の裏面に塗布された接着剤が露呈する。なお、印刷シート３９のサイズはＡ５サイズでなくてもよく、ラベルシートの大きさに応じてＢ５サイズや葉書サイズなどの印刷シートを用いてもかまわない。    
【００１９】
平面状に形成された印刷シート３９はプリンタにセットして印刷することができ、これによってラベルシート４の余白スペース４ａに図柄等を形成することができる。例えば、プリンタはパソコンと接続しており、メーカーのホームページではラベルシート用の模様を複数公開しておき、ユーザはメーカーのホームページで公開されている複数のラベルシート用の図柄の中から好みの図柄を選び出してこれをインターネットを介してダウンロードし、印刷シート３９に印刷する。これによりラベルシート４の前面部４ａに形成された余白スペースには、ユーザの好みの図柄を形成することができる。あるいは、ユーザが手書きでラベルシート４の余白スペースに図柄や文字を形成してもよい。例えば、同機種のレンズ付きフイルムユニットが複数ある場合に他人のものと区別するためにユーザ本人の氏名を書き込んだり、定規などの器具を用いた手書きで図柄を形成することもできる。また、ダウンロードした図柄と自分の写真をパソコンで合成して印刷することもできる。
【００２０】
ラベルシート４の余白スペースに図柄や文字を形成した後、ラベルシート４を離型紙４７から剥離する。離型紙４７から剥離されたラベルシート４の裏面には接着層４３が露呈し、接着層４３が前カバー３５及び後カバー３６と接着することによりレンズ付きフイルムユニットにラベルシート４が取り付けられる。ラベルシート４に形成された開口４ｆから撮影レンズ６とファインダ対物窓８、開口４ｇからカウンタ窓１７、開口４ｈから光伝導対１９、開口４ｋからファインダ接眼窓２０が露呈するようにラベルシート４はユーザによって折り曲げられながら前カバー３５及び後カバー３６に貼り付けられる。
【００２１】
図５及び図６を用いて本発明の作用を説明する。図５に示すようにレンズ付きフイルムユニット３と印刷シート３９とは包装袋５６に同梱されている。ユーザが包装袋５６の中から印刷シート３９を取り出し、印刷シート３９に形成されたラベルシート４の余白スペースに図柄や文字が書き込まれる。ユーザによってラベルシート４が離型紙４７及び印刷シート３９から剥離されてラベルシート４の裏面の接着層４３が露呈する。図６に示すように、印刷シート３９及び離型紙４７から剥離されたラベルシート４はラベルシート４に形成された各開口から撮影レンズ６、ファインダ対物窓８、カウンタ窓１７、光伝導体１９、ファインダ接眼窓が露呈するようにレンズ付きフイルムユニット３に貼り付けられる。
【００２２】
なお、上記の実施形態ではラベルシート４を前面部４ａ、上面部４ｂ、背面部４ｃ、及び第１、第２底面部４ｄ，４ｅとから構成したが、前面部４ａのみからなるラベルシートを印刷シート３９に形成してもよい。例えば、図７に示すように、余白スペースを有するラベルシート６０を葉書サイズの印刷シート６２の一部として形成し、ラベルシート６０を印刷シート６２から剥離して前カバー３５に貼り付けてもよい。このようにすることで、印刷シート６２のサイズをより小さくしてラベルシートにかかるコストを低減できるとともに、ラベルシートの貼り付けに伴なうユーザの作業を減らすことができ、より容易にラベルシートを保護カバーに貼り付けることができる。
【００２３】
また、上記の実施形態では余白スペースをラベルシート４の前面部４ａに形成したが、背面部や上面部等、別の部分に余白スペースを形成してもよい。例えば、ラベルシートの前面部、上面部、背面部とを余白スペースにすることでより大きな模様をラベルシートに形成することができ、興趣をより高めたレンズ付きフイルムユニットを提供することができる。
【００２４】
また、上記の実施形態ではラベルシート４の裏面に接着層を形成したが、これ以外の方法でラベルシートを保護カバーに取り付けてもよい。例えば、保護カバーの表面の一部に接着剤を塗布し、この接着剤を接着剤から剥離可能な離型紙で覆っておいてもよい。ラベルシートを保護カバーの取り付ける際、離型紙を剥がして接着剤を露呈させ、平面に形成されたラベルシートを保護カバーに沿って折り曲げながらその裏面と接着剤とを接着させてラベルシートを保護カバーに取り付けることができる。
【００２５】
また、上記の実施形態では給紙可能なサイズに形成された印刷シート３９の一部にラベルシート４が形成され、この印刷シート３９からラベルシート４を分離したが、ラベルシートの周囲に設けられた余白部を予め省いて平面形状のラベルシートを形成してもよい。これによりプリンタでの印刷は不可能となるが、ユーザの手書きによる図柄や文字の形成は可能であり、ラベルシートにかかるコストを低減することができる。
【００２６】
また、上記の実施形態では、図１、図５に示すようにメーカー出荷時にはラベルが貼られていない状態のレンズ付きフイルムユニットに対してユーザがラベルを貼り付ける例を示したが、図８に示すように、レンズ付きフイルムユニットの裏面や前面の一部に、必要最低限の内容を印刷したラベル６４がメーカ出荷時に予め貼りつけられており、ラベル６４の印刷されていない部分に適合するように形成された追加ラベル６５を同梱し、追加ラベル６５をユーザが印刷した後にラベル６４に上貼りすることも可能である。この場合、ラベル６４には追加ラベル６５を貼り付けるためのガイドが印刷されており、このためユーザは簡単に追加ラベル６５を上貼りすることができる。
【図面の簡単な説明】
【００２７】
【図１】レンズ付きフイルムユニットに貼り付けられるラベルシートについて説明する斜視図である。
【図２】ラベルシートの斜視図である。
【図３】平面形状の印刷シートの一部として形成されたラベルシートを上から観察した平面図である。
【図４】印刷シートからラベルシートを剥離する場合について説明する斜視図である。
【図５】包装袋にレンズ付きフイルムユニットとともに同梱されるラベルシートについて説明する斜視図である。
【図６】レンズ付きフイルムユニットにラベルシートを貼り付けたレンズ付きフイルムユニットの斜視図である。
【図７】撮影レンズ、及びファインダ対物窓の周囲に貼り付けられるラベルシートが形成された印刷シートを上から観察した平面図である。
【図８】ラベルシートが貼り付けられたレンズ付きフイルムユニットの上にさらに貼り付ける追加ラベルを説明する斜視図である。
【符号の説明】
【００２８】
３  レンズ付きフイルムユニット
４  ラベルシート
４ａ  前面部
４ｂ  上面部
４ｃ  背面部
４ｄ  第１底面部
４ｅ  第２底面部
３９  印刷シート
４３  接着層
４７  離型紙
５６  包装袋
【図１】
2005099363.tif 000003
【図２】
2005099363.tif 000004
【図３】
2005099363.tif 000005
【図４】
2005099363.tif 000006
【図５】
2005099363.tif 000007
【図６】
2005099363.tif 000008
【図７】
2005099363.tif 000009
【図８】
2005099363.tif 000010